(57)【要約】【課題】  従来の電話交換機は、変更対象となる内線電話機の各種設定情報が初期設定にて登録されていることを前提としており、内線電話機を新設または増設する際、電話交換機の保持する他内線電話機の各種設定情報を登録することについては考慮されていない。【解決手段】  内線電話機の各種設定情報登録機能を実現する制御部と、各種設定情報が親内線番号に関連付けて登録されている親情報テーブルを備え、前記制御部は、内線電話機(子)から特番と内線電話機(親)の内線番号がダイヤルされた場合、親内線番号に関連付けて登録されている各種設定情報を、内線電話機(子)に設定する。【選択図】  図5
2015186066.tif 000002
【特許請求の範囲】
【請求項１】
電話交換機と、内線電話機(親)と、内線電話機(子)と、を備える内線電話機への設定情報登録システムであって、
前記電話交換機は、
設定登録制御部と、
各種設定情報が、内線電話機(親)の親内線番号に関連付けて登録されている親情報テーブルと、を備え、
前記設定登録制御部は、
前記内線電話機(子)に入力された、設定情報登録用の特番と、登録対象情報を備える内線電話機(親)の親内線番号と、を受信すると、
前記親情報テーブルを検索し、登録されている、前記親内線番号に関連付けて登録されている前記各種設定情報を取得し、
取得した前記各種設定情報を、前記内線電話機(子)へ登録する
ことを特徴とする内線電話機への設定情報登録システム。
【請求項２】
請求項１に記載の内線電話機への設定情報登録システムであって、
前記各種設定情報は、親内線番号に係る、盤面グループ情報と、鳴動パターン情報と、発番号通知番号と、代理応答グループ情報と、局線ルートを示す情報と、を含む
ことを特徴とする内線電話機への設定情報登録システム。
【請求項３】
請求項１または２に記載の内線電話機への設定情報登録システムであって、
前記電話交換機の前記設定登録制御部は、
前記各種設定情報を、前記内線電話機(子)へ登録したのち、前記内線電話機(子)に対し、各種設定情報登録完了通知を送出する
ことを特徴とする内線電話機への設定情報登録システム。
【請求項４】
請求項１から３のいずれか一に記載の内線電話機への設定情報登録システムであって、
前記電話交換機の前記設定登録制御部は、
前記内線電話機(子)に入力された、前記親内線番号に関連付けられた情報が、前記親情報テーブルに登録されていないと判断した場合、前記内線電話機(子)に対し、前記各設定情報が登録されていない旨の通知を送出する
ことを特徴とする内線電話機への設定情報登録システム。
【請求項５】
請求項１から４のいずれか一に記載の内線電話機への設定情報登録システムであって、
前記電話交換機の前記設定登録制御部は、
前記内線電話機(親)に入力された、親番号登録の特番を受信すると、当該内線電話機(親)の発信内線番号と、当該発信内線番号に対して登録された各種設定情報と、を関連付けて、前記親情報テーブルに登録し、
前記内線電話機(親)に対し、設定情報登録完了通知を送出する
ことを特徴とする内線電話機への設定情報登録システム。
【請求項６】
請求項１から５のいずれか一に記載の内線電話機への設定情報登録システムであって、
さらに、ログ制御部と、登録ログ保存部と、を備え、
前記ログ制御部は、
前記各種設定情報を前記内線電話機(子)登録した登録日時と、前記内線電話機(親)の前記親内線番号と、前記内線電話機(子)の子内線番号と、を含む情報、または、
前記親内線番号と、当該親内線番号に対して登録された各種設定情報を前記親情報テーブルに登録した登録日時と、を含む情報、を取得し、
取得した情報を、登録ログとして、前記登録ログ保存部へ保存する
ことを特徴とする内線電話機への設定情報登録システム。
【発明の詳細な説明】
【技術分野】
【０００１】
本発明は、内線電話システムにおいて、内線電話機への設定を行うシステムに関する。
【背景技術】
【０００２】
従来、企業内にて利用する内線電話機を新設または増設する際、電話交換機に対し盤面(ファンクションボタンへの機能割当て)または、鳴動(呼出音とランプ点灯パターン)、発番号通知番号、代理応答グループ、局線ルートなどの各種設定情報を、専門の工事事業者や保守員が登録する必要があった。
【０００３】
また電話交換機にＩＰ電話交換機を利用し、内線電話機にＩＰ電話機を利用する場合、ＩＰ電話機に対し自ＩＰアドレスやＩＰ電話交換機のＩＰアドレスなどを設定する必要がある。
【０００４】
内線電話機への設定を行うシステムに関する先行技術として、特許文献1がある。この文献には、「電話端末をＩＰネットワークに接続すると、ＤＨＣＰ装置が主装置に端末登録要求を出し、主装置は電話番号を自動的に割当て端末登録処理を行い、ＤＨＣＰ装置は電話端末に返すネットワーク情報の通知に、主装置のＩＰアドレスと割り当てられた電話番号を含めて通知し、電話端末は受信した主装置のＩＰアドレスと電話番号とを自端末の情報として設定する」と記載されている(段落番号0035)。
【０００５】
また、他の先行技術として、特許文献2がある。この文献には、「複数のＩＰ電話機を収容し、これらに電話交換サービスを提供するＩＰ電話交換機であり、該ＩＰ電話機の内線番号の各々に対応付けて、該電話交換サービスの態様を設定する設定情報片を保持し、該ＩＰ電話機のうちの１から発せられる、参照内線番号を伴う更新要求信号に応じて、該参照内線番号に一致する内線番号に対応する設定情報片を参照設定情報片として抽出し、該１のＩＰ電話機の内線番号に対応する設定情報片の内容を、該参照設定情報片の内容で置換する」と記載されている(段落番号0034)。
【先行技術文献】
【特許文献】
【０００６】
【特許文献１】特開2010-112762号公報
【特許文献２】特開2007-295465号公報
【発明の概要】
【発明が解決しようとする課題】
【０００７】
しかし、上記文献では、従来の電話交換機は、変更対象となる内線電話機の各種設定情報が初期設定として登録されていることを前提としている。
【０００８】
すなわち、特許文献1では、電話端末の電話番号と主装置のＩＰアドレスの自動登録に留まり、その他の各種設定情報を登録することについては考慮されていない。また特許文献2では、前以て設定された電話機の設定情報の内容を置換することに留まり、電話交換機に登録の無い内線電話機の各種設定情報を、電話交換機へ新規に登録する技術については考慮されていない。
【０００９】
以上の通り、上記文献に記載された技術では、内線電話機の各種設定情報登録に電話交換機への初期設定を必要とするため、増設や移動といった運用においても、専門的な知識を持った保守員が電話交換機への設定作業を実施しなければならない。
【００１０】
従って、より簡便な、電話交換機への設定方法が望まれている。
【課題を解決するための手段】
【００１１】
上記課題を解決するため、本発明は、内線電話機を新規設置または増設する際、電話交換機の保持する他内線電話機の各種設定情報を登録する設定情報登録システムを提供する。
【００１２】
具体的には、電話交換機は、
各種設定情報が内線電話機(親)の親内線番号に関連付けて登録されている親情報テーブルを備え、
前記内線電話機(子)に入力された、設定情報登録用の特番と、登録対象情報を備える内線電話機(親)の親内線番号と、を受信すると、
前記親情報テーブルを検索し、登録されている、前記親内線番号に関連付けて登録されている前記各種設定情報を取得し、
取得した前記各種設定情報を、前記内線電話機(子)へ登録する。
ことを特徴とする。
【発明の効果】
【００１３】
本発明によれば、電話交換機と、内線電話機を新設、または、増設、移動、の際に、設定作業を軽減することが可能になる。
【図面の簡単な説明】
【００１４】
【図１】本実施例の各種設定情報登録機能を例示するシステム構成図
【図２】設定元(親)となる親番号テーブルの例である。
【図３】設定元(親)となる親情報テーブルの例である。
【図４】設定元(親)各種設定情報登録の、電話交換機の動作を例示するフローチャートである。
【図５】各種設定情報登録の、電話交換機の動作を例示するフローチャートである。
【発明を実施するための形態】
【００１５】
以下、図面を参照して、内線電話機設定登録の実施の形態を説明する。
【００１６】
図1は本実施例における内線電話機へ各種設定情報を登録するシステムの構成図である。このシステムは、内線、外線通話を初めとした各種電話機能を制御する電話交換機0110と、内線電話機(親)0120と、内線電話機(子)0130を含んで構成されている。
【００１７】
電話交換機0110は通話制御部0111と、設定登録制御部0112と、ログ制御部0113と、親番号テーブル0210と、親情報テーブル0310と、登録ログ保存部0114と、を含んで構成されている。
親情報テーブル0310には、内線電話機(子)に設定すべき各種設定情報が、内線電話機(親)に関連付けて登録されている。  通話制御部0111は、電話交換機0110に収容される内線電話機がオフフックされてからオンフックされるまでの一連の通話機能を制御する。設定登録制御部0112は、入力された（ダイヤルされた、ともいう）特番(特定の機能を実現する番号)及び着信内線番号を基に、親番号テーブル0210に該当する内線番号が存在するか確認し、確認結果と発信内線番号を基に、親情報テーブル0310の各種設定情報を発信内線番号に登録する。ログ制御部0113は、設定登録制御部0112が実行した登録処理に係るログの取得及び登録ログ保存部0114への記録を行う。  
これらの各処理部は、プロセッサとメモリとを備えた電話交換機において、プロセッサがメモリに格納されたプログラムを実行することにより実現可能である。
【００１８】
次に親番号テーブル0210の詳細を図2を用いて説明する。親番号テーブル0210には、登録の元情報となる内線電話機(親)0120の内線番号を示す親内線番号0211と、親内線番号の登録番号を示す親登録番号0212とが対応付けられて登録されている。
【００１９】
次に親情報テーブル0310の詳細を図3を用いて説明する。親情報テーブル0310には、図2で説明した、親登録番号0212と、親登録番号0212の盤面グループを示す盤面グループ0312と、親登録番号0212に記載された親登録番号の鳴動パターンを示す鳴動パターン0313と、親登録番号0212に記載された親登録番号の発番号通知番号を示す発番号通知番号0314と、親登録番号0212に記載された親登録番号の代理応答グループを示す代理応答グループ0315と、親登録番号0212に記載された親登録番号の局線ルートを示す局線ルート0316と、が対応付けられて登録されている。
【００２０】
次に、構成全体の動作について説明する。
【００２１】
図4、図5は本実施例の処理を説明する電話交換機のフローチャートである。
【００２２】
まず、図4は親番号テーブル0210と親情報テーブル0310に登録の元情報となる内線電話機(親)0120の各種設定情報を登録する処理を説明するフローチャートである。
【００２３】
内線電話機の操作者により、電話交換機0110に収容される内線電話機(親)0120がオフフックされると、電話交換機0110の通話制御部0111は、内線電話機(親)0120に対しＤＴ(ダイヤルトーン)を送出する(0401)。
【００２４】
内線電話機の操作者により、親番号登録の特番が入力されると、電話交換機0110の設定登録制御部0112は発信内線番号を親番号テーブル0210に登録する(0402)。
【００２５】
電話交換機0110の設定登録制御部0112は、登録した親番号に対し、発信内線番号に対応付けて電話交換機0110に登録されている各種設定情報を親情報テーブル0310に登録する(0403)。
【００２６】
電話交換機0110のログ制御部0113は登録日時と内線電話機(親)0120の内線番号を含む情報を取得し、登録ログとして登録ログ保存部114へ保存する(0404)。
【００２７】
電話交換機0110の設定登録制御部0112は内線電話機(親)0120に対し各種設定情報登録完了通知を送出する(0405)。
【００２８】
各種設定情報登録完了通知に基づくアナウンスなどを認識した操作者により、内線電話機(親)0120がオンフックされると、電話交換機0110の通話制御部0111は通話を切断する(0406)。
【００２９】
図5は内線電話機(親)0120の各種設定情報を内線電話機(子)0130に登録する処理を説明するフローチャートである。
【００３０】
内線電話機の操作者により、電話交換機0110に収容される内線電話機(子)0130がオフフックされると、電話交換機0110の通話制御部0111は、内線電話機(子)0130に対しＤＴ(ダイヤルトーン)を送出する(0501)。
【００３１】
内線電話機の操作者により、内線電話機の各種設定情報登録の特番と、登録の元情報となる内線電話機(親)0120の内線番号が入力されると、電話交換機0110の設定登録制御部0112は、親情報テーブル0310に、当該内線電話機(親)0120に関連付けられた各種設定情報が登録されているか、を調べる。具体的には、当該電話交換機が保持する親番号テーブル0210に、入力された内線電話機(親)0120の内線番号が存在するか確認する(0502)。
【００３２】
電話交換機0110の設定登録制御部0112が、入力された内線電話機(親)0120の内線番号が存在すると判断した場合(0502:Yes)、電話交換機0110の通話制御部0111は、内線電話機(親)0120に対し鳴動を指示するとともに、内線電話機(子)0130に対しＲＢＴ(リングバックトーン)を送出する(0503)。
【００３３】
電話交換機0110の設定登録制御部0112が、入力された内線電話機(親)0120の内線番号が存在しない、すなわち、親情報テーブル0310に、当該内線電話機(親)0120に関連付けられた各種設定情報が登録されていない、と判断した場合(0502:No)、電話交換機0110の設定登録制御部0112は、内線電話機(子)に対し、各種設定情報が登録されていない旨の通知を送出する(0507)。
【００３４】
電話交換機0110の設定登録制御部0112は、親番号テーブル0210を検索し、登録されている、着信番号である内線電話機(親)の親番号に対応付けられて登録されている内線電話機(親)0120の各種設定情報を内線電話機(子)0130に対応付けて、電話交換機0110へ登録する(0504)。
【００３５】
ログ制御部0113は登録日時と、内線電話機(親)0120の内線番号と、内線電話機(子)の子内線番号を含む情報を取得し、登録ログとして登録ログ保存部114へ保存する(0506)。
【００３６】
電話交換機0110の設定登録制御部0112は内線電話機(子)0130に対し各種設定情報登録完了アナウンスを送出する(0506)。
【００３７】
各種設定情報登録完了アナウンスを聴取した操作者により、内線電話機(子)0130がオンフックされると、電話交換機0110の通話制御部0111は通話を切断する(0508)。
【符号の説明】
【００３８】
0110：電話交換機、0111；通話制御部、0112：設定登録制御部、0113：ログ制御部、0120：内線電話機（親）、0130：内線電話機（子）、親番号テーブル：0210、親情報テーブル：0310。
【図１】
2015186066.tif 000003
【図２】
2015186066.tif 000004
【図３】
2015186066.tif 000005
【図４】
2015186066.tif 000006
【図５】
2015186066.tif 000007